(57)【要約】      （修正有）【課題】モニタの光特性を制御するためのディジタルインバータおよびモニタ制御装置を提供する。【解決手段】ディジタルインバータは、複数のデフォルト制御パラメータと、それぞれ制御パラメータの１つに対応する、複数のデフォルト光パラメータを格納するための数式または検索テーブルを備える。さらに、ディジタルインバータは、入力信号に従って検索テーブルを検索し、制御パラメータの１つを見つけて現在の制御パラメータとし、現在の制御パラメータに対応するデフォルト光パラメータを現在の光パラメータとして設定することができる。さらに、ディジタルインバータは、現在の光パラメータに従って、光調整信号を生成して、モニタの光特性を制御することができる。【選択図】図２
0003141399.tif 000002
【実用新案登録請求の範囲】
【請求項１】
モニタの光特性を制御するためのディジタルインバータであって、
複数のデフォルト制御パラメータと、それぞれデフォルト制御パラメータの１つと対応する、複数のデフォルト光パラメータを格納する検索テーブルを有するディジタル制御部を備え、
ディジタルインバータは、入力信号に従って検索テーブルを検索し、デフォルト制御パラメータの１つを見つけて現在の制御パラメータとし、現在の制御パラメータに対応する、デフォルト光パラメータを、現在の光パラメータとして設定し、現在の光パラメータに従って光調整信号を生成し、光調整信号に基づいて、モニタの光特性を制御することを特徴とする、ディジタルインバータ。
【請求項２】
さらに、アナログ制御信号を受信し、アナログ信号を入力信号に変換する、アナログ／ディジタルコンバータを備えることを特徴とする、請求項１に記載のディジタルインバータ。
【請求項３】
デフォルト光パラメータは、デューティサイクルパラメータ、輝度パラメータ、周波数パラメータ、振幅パラメータ、および時間パラメータから構成されるグループのうち選択された、少なくとも１つから構成されることを特徴とする、請求項１に記載のディジタルインバータ。
【請求項４】
周波数パラメータは、高周波数パラメータおよび／または低周波数パラメータを含むことを特徴とする、請求項３に記載のディジタルインバータ。
【請求項５】
デューティサイクルパラメータは、高周波数デューティサイクルパラメータおよび／または低周波数デューティサイクルパラメータを含むことを特徴とする、請求項３に記載のディジタルインバータ。
【請求項６】
ディジタルインバータは、フィードバック信号に従って、入力信号を生成することが可能なことを特徴とする、請求項１に記載のディジタルインバータ。
【請求項７】
フィードバック信号は、トランスフォーマまたはバックライトモジュールによって生成されることを特徴とする、請求項６に記載のディジタルインバータ。
【請求項８】
フィードバック信号は、照明部の輝度、照明部の電流、および保護回路の電圧から構成されるグループのうち選択された、少なくとも１つから構成されることを特徴とする、請求項６に記載のディジタルインバータ。
【請求項９】
モニタの光特性を制御するためのモニタ制御装置であって、
複数のデフォルト制御パラメータと、それぞれ制御デフォルトパラメータの１つと対応する、複数のデフォルト光パラメータを格納する検索テーブルを有するディジタル制御部を有するディジタルインバータを備え、
ディジタルインバータは、入力信号に従って検索テーブルを検索し、デフォルト制御パラメータの１つを見つけて現在の制御パラメータとし、現在の制御パラメータに対応するデフォルト光パラメータを現在の光パラメータとして設定し、現在の光パラメータに従って光調整信号を生成し、光調整信号に基づいてモニタの光特性を制御することを特徴とする、モニタ制御装置。
【請求項１０】
ディジタルインバータは、さらに、アナログ制御信号を受信し、アナログ信号を入力信号に変換する、アナログ／ディジタルコンバータを備えることを特徴とする、請求項９に記載のモニタ制御装置。
【請求項１１】
さらに、ディジタルインバータと電源に接続され、光調整信号を受信し、光調整信号に従って電源を調整して制御電源とする、ドライバを備えることを特徴とする、請求項９に記載のモニタ制御装置。
【請求項１２】
さらに、ドライバと、モニタの少なくとも１つの照明部に接続され、ドライバ出力を増大させるトランスフォーマを備えることを特徴とする、請求項１１に記載のモニタ制御装置。
【請求項１３】
デフォルト光パラメータは、デューティサイクルパラメータ、輝度パラメータ、周波数パラメータ、振幅パラメータ、および時間パラメータから構成されるグループのうち選択された、少なくとも１つから構成されることを特徴とする、請求項９に記載のモニタ制御装置。
【請求項１４】
周波数パラメータは、高周波数パラメータおよび／または低周波数パラメータを含むことを特徴とする、請求項１３に記載のモニタ制御装置。
【請求項１５】
デューティサイクルパラメータは、高周波数デューティサイクルパラメータおよび／または低周波数デューティサイクルパラメータを含むことを特徴とする、請求項１３に記載のモニタ制御装置。
【請求項１６】
ディジタルインバータは、フィードバック信号に従って、入力信号を生成することが可能なことを特徴とする、請求項９に記載のモニタ制御装置。
【請求項１７】
フィードバック信号は、照明部の輝度、照明部の電流、および照明部の電圧から構成されるグループのうち選択された、少なくとも１つから構成されることを特徴とする、請求項１６に記載のモニタ制御装置。
【請求項１８】
モニタの光特性を制御するためのディジタルインバータであって、
数式を有するディジタル制御部を備え、
数式の入力は、制御パラメータであり、数式の出力は、現在の光パラメータであり、そしてディジタル制御部は、現在の光パラメータに従って光調整信号を生成し、光調整信号に基づいてもモニタの光特性を制御することを特徴とする、ディジタルインバータ。
【請求項１９】
さらに、アナログ制御信号を受信し、アナログ信号を入力信号に変換する、アナログ／ディジタルコンバータを備えることを特徴とする、請求項１８に記載のディジタルインバータ。
【請求項２０】
モニタの光特性を制御するためのモニタ制御装置であって
数式を備えるディジタル制御部を有するディジタルインバータを備え、
ディジタル制御部は入力信号に従って制御パラメータを生成し、数式は制御パラメータに従って現在の光パラメータを生成し、ディジタル制御部は、現在の光パラメータに従って、光調整信号を生成し、光調整信号に基づいてモニタの光特性を制御することを特徴とする、モニタ制御装置。
【請求項２１】
ディジタルインバータは、さらに、アナログ制御信号を受信し、アナログ信号を入力信号に変換する、アナログ／ディジタルコンバータを備えることを特徴とする、請求項２０に記載のモニタ制御装置。
【請求項２２】
さらに、ディジタルインバータと電源に接続され、光調整信号を受信し、光調整信号に従って電源を調整し、制御電源とする、ドライバを備えることを特徴とする、請求項２０に記載のモニタ制御装置。
【請求項２３】
さらに、ドライバと、モニタの少なくとも１つの照明部に接続され、ドライバの出力を増大させるトランスフォーマを備えることを特徴とする、請求項２２に記載のモニタ制御装置。
【請求項２４】
現在の光パラメータは、デューティサイクルパラメータ、輝度パラメータ、周波数パラメータ、振幅パラメータ、および時間パラメータから構成されるグループのうち選択された、少なくとも１つから構成されることを特徴とする、請求項２０に記載のモニタ制御装置。
【請求項２５】
周波数パラメータは、高周波数パラメータおよび／または低周波数パラメータを含むことを特徴とする、請求項２０に記載のモニタ制御装置。
【請求項２６】
デューティサイクルパラメータは、高周波数デューティサイクルパラメータおよび／または低周波数デューティサイクルパラメータを含むことを特徴とする、請求項２０に記載のモニタ制御装置。
【考案の詳細な説明】
【技術分野】
【０００１】
本考案は、一般的に、ディジタルインバータおよびモニタ制御装置に関する。
【背景技術】
【０００２】
近年電子製品が開発されるにつれ、業務または自宅での使用に供するためのマルチメディアシステムがますます普及しつつある。ほとんどのマルチメディアシステムで最も重要な部分は、表示システムである。従って、表示システムの品質を高める方法が、設計者の間で非常に重視されつつある。
【０００３】
従来の表示システムの機能ブロック図である図１を参照されたい。表示システム７は、アナログインバータ７０、アナログ制御部７１、ドライバ７２、トランスフォーマ７４、および表示部７６を備える。アナログ制御部７１は、アナログＩＣであってもよい。アナログインバータ７０は、制御信号をドライバ７２に供給することができ、ドライバ７２は、制御信号に基づいて電源を調整することができる。実際には、ドライバ７２は、フルブリッジ回路、ハーフブリッジ回路、プッシュプル回路、ロイヤル回路のいずれを選択してもよい。一般的に、制御信号は、ＰＷＭ信号である。トランスフォーマ７４は、調整された電源供給を受けとって増大させ、表示部７６の照明部７６Ａに供給することができる。実際には、照明部７６Ａは、冷陰極蛍光ランプ（Ｃｏｌｄ  Ｃａｔｈｏｄｅ  Ｆｌｕｏｒｅｓｃｅｎｔ  Ｌａｍｐ（ＣＣＦＬ））または発光ダイオード（Ｌｉｇｈｔ  Ｅｍｉｔｔｉｎｇ  Ｄｉｏｄｅ（ＬＥＤ））とすることができる。
【０００４】
さらに、アナログ制御部７１により供給される制御信号の、電圧レベル、電流レベル、周波数、持続時間、振幅等といった特性は、表示部の輝度、更新頻度等の光統制を調整するためのパラメータに従って変更することができる。さらに、上記のアナログインバータ７０により提供される制御信号は、表示部７６および照明部７６Ａからの、動作電圧または電流フィードバックに従って調整することができ、これにより表示部７６の光特性を調整することが可能である。
【０００５】
【特許文献１】アメリカ合衆国特許第６３９６７２２
【特許文献２】アメリカ合衆国特許第６２５９６１５
【特許文献３】アメリカ合衆国特許第６８０４１２９
【特許文献４】アメリカ合衆国特許第６７７１０２９
【特許文献５】アメリカ合衆国特許第７１２６２８８
【考案の開示】
【考案が解決しようとする課題】
【０００６】
しかしながら、従来のインバータは、動作させるためにアナログ制御部を使用しているため、制御信号を調整するのに電気抵抗や電気容量等大量の受動素子を使用しなければならない。さらに、表示部７６の光特性が仕様に合致しない場合、製造業者は、受動素子を人工的に調整しなければならず、これによって、インバータまたは表示システムの製造に膨大なコストと時間がかかっている。従来例のアナログインバータ関連技術については、特許文献１、特許文献２、および特許文献３を参照されたい。
【課題を解決するための手段】
【０００７】
従って、本発明の一態様によると、モニタの光特性を制御する、ディジタルインバータが提供される。特に、本考案のディジタルインバータは、過多な受動素子を使用することなく、従来のインバータと同じ性能を発揮することができるだけでなく、設計上の複雑さを軽減し、コストを削減することができる。
【０００８】
本発明の実施形態によると、ディジタルインバータは、複数のデフォルト制御パラメータと、それぞれ制御パラメータの１つと対応する、複数のデフォルト光パラメータを格納する検索テーブルを備える。さらに、ディジタルインバータは、入力信号に従って検索テーブルを検索し、デフォルト制御パラメータの１つを見つけて現在の制御パラメータとし、現在の制御パラメータに対応する、デフォルト光パラメータを、現在の光パラメータとして設定し、現在の光パラメータに従って、光調整信号を生成し、光調整信号に基づいて、モニタの光特性を制御する。
【０００９】
本考案の他の実施形態によると、ディジタルインバータは、数式を有するディジタル制御部を備える。特に、数式の入力は、制御パラメータであり、数式の出力は、現在の光パラメータである。そして、ディジタル制御部は、現在の光パラメータに従って光調整信号を生成し、光調整信号に基づいてもモニタの光特性を調整する。
【００１０】
本考案の他の態様によると、モニタの光特性を制御する、モニタ制御装置が提供される。
【００１１】
本考案の実施形態によると、モニタ制御装置は、複数のデフォルト制御パラメータと、それぞれ制御パラメータの１つと対応する、複数のデフォルト光パラメータを格納する検索テーブルを有するディジタルインバータを備える。特に、ディジタルインバータは、入力信号に従って検索テーブルを検索し、デフォルト制御パラメータの１つを見つけて現在の制御パラメータとし、現在の制御パラメータに対応するデフォルト光パラメータを現在の光パラメータとして設定し、現在の光パラメータに従って光調整信号を生成し、光調整信号に基づいて、モニタの光特性を制御する。
【００１２】
本考案の他の実施形態によると、モニタ制御装置は、ディジタル制御部を有するディジタルインバータを備え、ディジタル制御部は、数式を備える。特に、ディジタル制御部は、入力信号に従って制御パラメータを生成し、数式は、制御パラメータに従って現在の光パラメータを生成し、ディジタル制御部は、現在の光パラメータに従って光調整信号を生成し、光調整信号に基づいてモニタの光特性を制御する。
【００１３】
本考案の目的は、当業者であれば、様々な図表および図面に示される、本考案を実施するための最良の形態の詳細な説明を読むことによって明らかになるであろうことは疑いがない。
【考案を実施するための最良の形態】
【００１４】
本考案は、モニタの光特性を制御するためのディジタルインバータおよびモニタ制御装置を提供するものである。実際には、モニタは、バックライトモジュールを備えた液晶ディスプレイ（Ｌｉｑｕｉｄ  Ｃｒｙｓｔａｌ  Ｄｉｓｐｌａｙ（ＬＣＤ））であってもよい。さらに、バックライトモジュールは、冷陰極蛍光ランプ（Ｃｏｌｄ  Ｃａｔｈｏｄｅ  Ｆｌｕｏｒｅｓｃｅｎｔ  Ｌａｍｐ（ＣＣＦＬ））または発光ダイオード（Ｌｉｇｈｔ−Ｅｍｉｔｔｉｎｇ  Ｄｉｏｄｅ（ＬＥＤ））とすることができる。実際には、制御される光特性は、照明部の輝度、照明部の電流、照明部の電圧、および保護回路の電圧などが含まれるが、これに制限されるものではない。
【００１５】
本考案の実施形態によるディジタルインバータを示す、機能図である図２を参照されたい。図２に示すように、ディジタルインバータ１は、検索テーブル１３と、数式１３と、アナログ／ディジタルコンバータ１２を備える。検索テーブル１０は、複数のデフォルトの制御パラメータと、それぞれ制御パラメータの１つに対応する、複数のデフォルト光パラメータとを格納することができる。数式１３は、ｙ＝ａｘ等の直線関数、非直線関数、微分関数、または積分関数のいずれかから選択することができる。Ａ／Ｄコンバータ１２は、アナログ制御信号（例えば、アナログ光調整信号）を受信し、アナログ制御信号を入力信号に変換することができる。図２に示すように、入力信号には、アナログ制御信号、ディジタル制御信号、またはフィードバック信号が含まれるが、これに制限されるものではない。さらに、光調整信号とは、一般的に、ＰＷＭ信号をいう。
【００１６】
さらに、ディジタルインバータ１は、現在の制御パラメータとして使用するために、入力信号（例えば、上記のディジタル制御信号）に従って、検索テーブル１０を検索して、デフォルト制御パラメータの１つを見つけることができ、現在の制御コントロールパラメータに対応するデフォルト光パラメータを、現在の光パラメータとして設定することができる。その後、ディジタルインバータ１は、現在の光パラメータに従って光調整信号を生成し、光調整信号に基づいて、モニタの光特性を制御することができる。なお、本考案によるディジタルインバータ１は、ディジタル制御信号を直接受信することも、または、アナログ制御信号を、Ａ／Ｄコンバータ１２を介して入力信号として受信することもできる。さらに、ディジタルインバータ１は、光調整信号を、数式１３に基づいて調整することができる。数式１３への入力は、入力信号であり、数式１３からの出力は、光調整信号である。
【００１７】
実際には、デフォルトの光パラメータは、デューティサイクルパラメータ、輝度パラメータ、周波数パラメータ、振幅パラメータ、時間パラメータ、またはその他の適したパラメータを含むが、これに制限されるものではない。例えば、デューティサイクルパラメータは、高周波数パラメータおよび／または低周波数パラメータを含むことができる。周波数パラメータは、高周波数デューティサイクルパラメータおよび／または低周波数デューティサイクルパラメータを含むことができる。時間パラメータには、特定のデューティサイクルの持続時間、または特定の輝度に達するまでに必要な時間などが含まれる。
【００１８】
本考案の実施形態による検索テーブルを示す、図３Ａを参照されたい。図３Ａに示すように、検索テーブル１０に格納されたデフォルト制御パラメータは、輝度のパーセンテージであり、デフォルト光パラメータは、実際の出力輝度（ニト）である。例えば、ディジタルインバータ１が、２０％に等しい輝度パーセンテージを含む入力信号を受信した場合、ディジタルインバータ１は、図３Ａの検索テーブル１０を検索し、対応する光パラメータを検索すると、実際の出力輝度は５００ニトとなる。そのとき、ディジタルインバータ１は、その光パラメータを示す光調整信号を生成することができる。
【００１９】
さらに、本考案の実施形態の検索テーブルを示す、図３Ｂを参照されたい。図３Ｂに示すように、検索テーブル１０に格納されたデフォルト制御パラメータは、輝度のパーセンテージであり、デフォルト光パラメータは、低周波数デューティサイクルパラメータである。なお、ディジタルインバータ１の検索テーブル１０の内容は、適切な計算処理または経験により求めることができるため、各列のパラメータの値は、絶対的に関係している（例えば、等差、等比数列等）わけではない。他方、設計者は、検索テーブル１０を、必要なパラメータで埋めることができる。従って、低周波数デューティサイクルパラメータは、適した値であれば、何を使用してもかまわない。
【００２０】
図２に示すように、実際には、本考案によるディジタルインバータは、ＲＳ２３２、ＵＳＢ、または他の適したインタフェースを介してコンピュータに接続することができる。さらに、設計者は、コンピュータを介して、ディジタル制御部１１に、望ましい制御パラメータを入力することができる。
【００２１】
本考案の実施形態によるモニタ制御装置の機能図を示す、図４を参照されたい。図４に示すように、モニタ制御装置３は、ディジタルインバータ３０と、ドライバ３２と、トランスフォーマ３４を備える。ディジタルインバータ３０は、上記のディジタル制御部３０１と、検索テーブル３０２と、数式３０３と、Ａ／Ｄコンバータ３０４を備え、上記の機能を実行することができる。検索テーブル３０２および数式３０３の機能および内容は、上記のものと同じであり、ここでは、不要な詳細に関する記述は省略する。
【００２２】
さらに、入力信号には、アナログ制御信号、ディジタル制御信号、フィードバック信号、または保護信号が含まれる。数式３０３への入力は、入力信号であり、数式３０３からの出力は、光調整信号である。さらに、検索テーブルまたは数式のいずれか、もしくは両方を選択して、光調整信号の調整することができる。フィードバック信号は、ランプの電流値または電圧値とすることができる。さらに、バックライトモジュール４０内で、漏電または開路が生じた場合、ディジタル制御部３０１は、検索テーブルに格納されている閾値Ｖｔよりも大きいまたは小さい保護信号を受信し、ディジタル制御部は、光調整信号の出力を中止する。
【００２３】
材料や製造プロセスが異なることから、各ディジタルインバータの保護信号（電圧または電流）の値は、わずかに異なっている。従来、保護信号の電圧または電流レベルは、電気抵抗や容量を人工的に半田付けすることによって、変更していた。それに対し、Ｖｔの値は、利用者がインタフェース（例えば、ＵＳＢまたはＲＳ２３２）を介して変更が可能であり、このようにして異なる製造プロセスによって生じた誤差を補正することができる。
【００２４】
さらに、ドライバ３２は、ディジタルインバータ３０と、電源３６に接続され、ディジタルインバータ３０から光調整信号を受信し、光調整信号に基づいて電源３６を調整し、制御電源とする。実際には、ドライバ３２は、電源３６の電圧、電流、周波数等の特性、または他の適切な特性を調整することができる。
【００２５】
トランスフォーマ３４は、ドライバ３２およびバックライトモジュール４０に接続され、バックライトモジュールには、少なくとも照明部４０２が含まれる。トランスフォーマ３４は、ドライバ３２から制御電源を受信し、制御電源を増大させて、発光するよう照明部４０２を駆動する。
【００２６】
本実施形態においては、ディジタルインバータ３０は、トランスフォーマ３４またはバックライトモジュール４０からのフィードバック信号に従って、光調整信号を調整することができる。実際には、フィードバック信号は、照明部の輝度、電流、または電圧を含むが、これに制限されるものではない。
【００２７】
なお、実際には、モニタ制御装置は、バックライトモジュール、またはモニタの他の装置と一体化することも、またはモニタ内に独立して配置することも可能である。
【００２８】
さらに、ディジタルインバータまたはモニタ制御装置は、工場から出荷する前に、モニタのバックライトモジュールに組み込むことも可能であり、ディジタルインバータの検索テーブルの中身も、最適な結果を得るために、フィードバック信号に従って調整することができる。
【００２９】
本考案の実施形態によるモニタ制御方法のフローチャートを示す、図５Ａを参照されたい。図５Ａに示すように、本考案によるモニタ制御方法には、以下のステップが含まれる。
【００３０】
まず、ステップＳ５０において、上記のデフォルト制御パラメータ（図３Ａに示す、輝度のパーセンテージ等）、およびそれぞれ制御パラメータの１つに対応する、複数のデフォルト光パラメータ（図３Ａに示す、実際の出力輝度等）を格納するための検索テーブルを確立する。次に、ステップＳ５２において、アナログ制御信号、ディジタル制御信号、フィードバック信号、または保護信号等の入力信号に従って、検索テーブルを検索し、デフォルト制御パラメータの１つを見つけて現在の制御パラメータとし、現在の制御パラメータに対応するデフォルト光パラメータを、現在の光パラメータとして設定する。最後に、ステップＳ５４において、現在の光パラメータに従って、光調整信号を生成し、光調整信号に基づいて、モニタの光特性を制御する。なお、ステップＳ５０において、検索テーブルの中身は、上記のものと同じであり、ここでは、不要な詳細に関する記述は省略する。さらに、アナログ制御信号は、Ａ／Ｄコンバータを介して、ディジタル制御信号に変換することができる。
【００３１】
さらに、本考案の他の実施形態による、モニタ制御方法のフローチャートを示す、図５Ｂを参照されたい。図５Ｂに示すように、モニタ制御方法は、さらに、次のステップを含むことができる。ステップＳ５５−ディジタル制御部に、数式を確立する。ステップＳ５６−入力信号を解析し、ディジタル制御部により制御パラメータを取得する。ステップＳ５７−数式に制御パラメータを入力し、数式が、現在の光パラメータを出力する。そして、ステップＳ５８−現在の光パラメータに従って、光調整信号を生成し、光調整信号に基づいて、モニタの光特性を制御する。実際には、数式は、適切な数式であれば、どのようなものであっても構わない。例えば、数式の出力と入力の関係が線形になるよう、ｙ＝ａｘ等の直線関数を適用することができる。ここで、「ｘ」は、本考案の制御パラメータであり、「ｙ」は、現在の光パラメータである。
【００３２】
なお、従来のディジタルインバータの関連技術については、特許文献４および特許文献５を参照されたい。
【００３３】
まとめると、本考案によるディジタルインバータでは、設計をより柔軟に行うことができる。検索テーブルの内容または数式は、異なる要件によって調整することができ、ディジタルインバータに接続されたコンピュータから変更することができる。さらに、本考案によるディジタルインバータ、モニタ制御装置および方法は、受動素子の量を大幅に削減し、設計の複雑さを軽減させるとともに、製造コストを下げるという効果がある。
【００３４】
本考案は、好ましい実施形態を参照しながら解説および説明したが、本考案は、当該実施形態の詳細により一切制限されるものでなく、添付の請求の範囲内において様々な変更を加えることが可能であることは言うまでもない。
【図面の簡単な説明】
【００３５】
【図１】図１は、従来の表示システムを示す機能ブロック図である。
【図２】図２は、本考案の実施形態による、ディジタルインバータを示す機能図である。
【図３Ａ】図３Ａは、本考案の実施形態による、検索テーブルを示す図である。
【図３Ｂ】図３Ｂは、本考案の実施形態による、検索テーブルを示す図である。
【図４】図４は、本考案の実施形態による、モニタ制御装置を示す機能図である。
【図５Ａ】図５Ａは、本考案の実施形態による、モニタ制御方法を示すフローチャートである。
【図５Ｂ】図５Ｂは、本考案の実施形態による、モニタ制御方法を示すフローチャートである。
【符号の説明】
【００３６】
１            ディジタルインバータ
３            モニタ制御装置
７            表示システム
１０            検索テーブル
１１            ディジタル制御部
１２            アナログ／ディジタル（Ａ／Ｄ）コンバータ
１３            数式
３０            ディジタルインバータ
３２            ドライバ
３４            トランスフォーマ
３６            電源
４０            バックライトモジュール
７０            アナログインバータ
７１            アナログ制御部
７２            ドライバ
７４            トランスフォーマ
７６            表示部
７６Ａ            照明部
３０１            ディジタル制御部
３０２            検索テーブル
３０４            アナログ／ディジタル（Ａ／Ｄ）コンバータ
３０３            数式
４０２            照明部
【図１】
0003141399.tif 000003
【図２】
0003141399.tif 000004
【図３Ａ】
0003141399.tif 000005
【図３Ｂ】
0003141399.tif 000006
【図４】
0003141399.tif 000007
【図５Ａ】
0003141399.tif 000008
【図５Ｂ】
0003141399.tif 000009